(57)【要約】      （修正有）【課題】  温水マットを並べて使う場合に、マット間に後付け小根太を配置しなくて済むようにする。更に、釘打ち禁止領域を小さくする。【解決手段】  縦横が３０３ｍｍ×ｎ倍の大きさから成るマット本体１に３０３ｍｍピッチで小根太が配置されている床暖房用温水マットにおいて、最も外側に配置されている小根太２の中心とマット本体１の左右端１ａまでの距離を夫々１５１.５ｍｍに設定することにより、マットを横に２枚並べた際に、２枚のマットの直近の小根太２同士の間隔が３０３ｍｍとなる。よって、マットを２枚使用するとき、間に後付け小根太を配置しないで済む。更に、マット本体１において、パイプ跨ぎ間隔７の中心とマット本体１の上下端の距離を１５１．５ｍｍ又は１５１．５ｍｍ×ｎ倍に設定すると共にこの間隔７を使用フローリングの幅よりも小さくする。これにより、釘打ち禁止領域は、１か所避けることにより、他も避けることができる。【選択図】図１
2005114191.tif 000002
【特許請求の範囲】
【請求項１】
縦横が３０３ｍｍ×ｎ倍の大きさから成るマット本体に３０３ｍｍピッチで小根太が配置されている床暖房用温水マットにおいて、最も外側に配置されている小根太の中心とマット本体の左右端までの距離を夫々１５１.５ｍｍに設定して成る床暖房用温水マット。
【請求項２】
縦横が３０３ｍｍ×ｎ倍の大きさから成るマット本体に３０３ｍｍピッチで小根太が配置されている床暖房用温水マットにおいて、前記小根太の上下先端の先であって、マット本体の端側に小々根太を配置して小根太と小々根太間にパイプ跨ぎ間隔を形成し、この間隔の中心とマット本体の上下端までの距離を夫々１５１.５ｍｍ又は１５１．５ｍｍ×ｎ倍に設定し、且つ前記パイプ跨ぎ間隔の幅を使用フローリングの幅より小さい幅に設定して成る床暖房用温水マット。
【請求項３】
縦横が３０３ｍｍ×ｎ倍の大きさから成るマット本体に３０３ｍｍピッチで小根太が配置されている床暖房用温水マットにおいて、最も外側に配置されている小根太の中心とマット本体の左右端までの距離を夫々１５１．５ｍｍに設定すると共に前記小根太の上下先端の先であって、マット本体の端側に小々根太を配置して小根太と小々根太間にパイプ跨ぎ間隔を形成し、この間隔の中心とマット本体の上下端との距離を１５１．５ｍｍ又は１５１．５ｍｍ×ｎ倍に設定し、且つ前記パイプ跨ぎ間隔の幅を使用フローリングの幅より小さい幅に設定して成る床暖房用温水マット。
【請求項４】
請求項３に記載の温水マットにおいて、小根太の任意の位置に中間パイプ跨ぎ間隔を単数又は複数形成し、この中間パイプ跨ぎ間隔の中心とパイプ跨ぎ間の中心との距離を３０３ｍｍ×ｎ倍に設定すると共にこの中間跨ぎ間隔の幅を使用フローリングの幅より小さい幅に設定して成る温水マット。
【請求項５】
請求項１〜４に記載の何れかの発明において、フローリングには３０３ｍｍ又は３０３ｍｍ×ｎ倍又は３０３ｍｍ×１/ｎ幅のものが用いられることを特徴とする床暖房用温水マット。
【発明の詳細な説明】
【技術分野】
【０００１】
本願発明は、一定幅の小根太を３０３ｍｍピッチでマット本体に配置し、この小根太間に温水パイプを配管すると共に、フローリングを前記小根太に直交張りする施工方式を採用する床暖房用温水マットに関する。
【背景技術】
【０００２】
従来の小根太入り温水マットであって、放熱用の温水パイプを２本用いて配管したものの例を図８に示す。この図８において、マット本体２００には、４５ｍｍ幅の小根太２０１が３０３ｍｍピッチで配置されていると共に、マット本体２００の左右両端２００ａとこの左右両端２００ａに直近の小根太２０１までの距離は２５８ｍｍに夫々設定されている。また、小根太２０１の上下先端の先であって、マット本体２００の上下端２００ｂには小々根太２０２が配置され、この小々根太２０２と小根太２０１間にはパイプ跨ぎ間隔２０３が形成されていて、このパイプ跨ぎ間隔２０３内は往復で計４本の温水パイプが跨ぐ構成となっている。図８において、２０６は温水ヘッダーである。このような構成の温水マットは、規格化された大きさのものが多数用意されていて、現場の施工条件に合わせて１枚、あるいは２枚以上のマットが組み合わせて使用される。
【０００３】
したがって、２枚以上のマットを組み合わせて使用した場合、図９に示すように、２枚のマット本体２００の両端２００ａに直近の小根太２０１間の距離は、２５８×２＝５１６ｍｍと大きくなり、この間に釘打ちの空白領域ができてしまう。
そこで、図９に示すように、２枚のマットの両端２００ａの間に後付け小根太２０７をいちいち現場で配置している。このため、現場での作業が増加し、例えば集合住宅等の場合には工期にも大きく影響する。また、パイプ跨ぎ間隔２０３においては、４本のパイプが跨いでいるため、この間隔２０３は必然的に大きくなり、この分釘打ちの出来ない禁止領域が広くなる。
また、マットを上下方向に並べて使用する場合には、上記したパイプ跨ぎ間隔２０３が近接するため、釘打ち禁止領域が非常に広くなり、この分床強度の点で問題が発生する。
また、通常、規格化された温水マットの場合には、上記した釘打ち禁止領域には、間違って釘打ちがされないように「釘打ち厳禁」のシールを貼り付けたり、あるいはスタンプを押しているが、このシールを貼ったり、スタンプを押す面積と箇所が多い分マットの製作に手間とコストがかかる。
【０００４】
図１０は、従来の温水マットにおいて、マット本体３００に配管される温水パイプ３０４が１本の場合の例を示すもので、このような場合の小根太３０１、小々根太３０２の配置は図８のマットと同じであり、パイプ跨ぎ間隔３０３のところでは温水パイプ３０４が４本跨ぐ構成となっている。
このため、図１１に示すように、２枚のマットを左右に並べて用いる場合には、後付け小根太３０６をマット間に配置する必要があると共に、パイプ跨ぎ間隔３０３によって発生する釘打ち禁止領域の問題は図８に示したマットの場合と同様に発生する。図１０、１１において、３０５は温水ヘッダーである。
【発明の開示】
【発明が解決しようとする課題】
【０００５】
本発明は、斯る点に鑑みて提案されるものであって、その目的の第１は、温水マットを左右に並べて使用する場合に、後付け小根太をマット間に配置しないで済む温水マットを提供することである。
更に、第２の目的は、釘打ち禁止領域が可及的に小さくなるように小根太及び小々根太の配置に工夫した温水マットを提供することである。
【課題を解決するための手段】
【０００６】
上記目的を達成するため、請求項１に記載の発明においては、床暖房用温水マットにおいて、縦横が３０３ｍｍ×ｎ倍の大きさから成るマット本体に３０３ｍｍピッチで小根太が配置されている床暖房用温水マットにおいて、最も外側に配置されている小根太の中心とマット本体の左右端までの距離を夫々１５１.５ｍｍに設定して成ることを特徴とするものである。
【０００７】
更に、請求項２に記載の発明においては、床暖房用温水マットにおいて、縦横が３０３ｍｍ×ｎ倍の大きさから成るマット本体に３０３ｍｍピッチで小根太が配置されている床暖房用温水マットにおいて、前記小根太の上下先端の先であって、マット本体の端側に小々根太を配置して小根太と小々根太間にパイプ跨ぎ間隔を形成し、この間隔の中心とマット本体の上下端までの距離を夫々１５１.５ｍｍ又は１５１．５ｍｍ×ｎ倍に設定し、且つ前記パイプ跨ぎ間隔の幅を使用フローリングの幅より小さい幅に設定して成るものである。
【０００８】
更に、請求項３に記載の発明においては、床暖房用温水マットにおいて、縦横が３０３ｍｍ×ｎ倍の大きさから成るマット本体に３０３ｍｍピッチで小根太が配置されている床暖房用温水マットにおいて、最も外側に配置されている小根太の中心とマット本体の左右端までの距離を夫々１５１．５ｍｍに設定すると共に前記小根太の上下先端の先であって、マット本体の端側に小々根太を配置して小根太と小々根太間にパイプ跨ぎ間隔を形成し、この間隔の中心とマット本体の上下端との距離を１５１．５ｍｍ又は１５１．５ｍｍ×ｎ倍に設定し、且つ前記パイプ跨ぎ間隔の幅を使用フローリングの幅より小さい幅に設定して成るものである。
【０００９】
更に、請求項４に記載の発明においては、請求項３に記載の温水マットにおいて、小根太の任意の位置に中間パイプ跨ぎ間隔を単数又は複数形成し、この中間パイプ跨ぎ間隔の中心とパイプ跨ぎ間の中心との距離を３０３ｍｍ×ｎ倍に設定すると共にこの中間跨ぎ間隔の幅を使用フローリングの幅より小さい幅に設定して成るものである。
【００１０】
更に、請求項５に記載の発明においては、請求項１〜４に記載の何れかの発明において、フローリングには３０３ｍｍ又は３０３ｍｍ×ｎ倍又は３０３ｍｍ×１/ｎ幅のものが用いられることを特徴とするものである。
【発明の効果】
【００１１】
マット本体において、その両端とこの両端に直近の小根太の中心までの距離を１５１.５ｍｍに設定したことにより、マットを横に並べて使用したときに、継ぎ目を中間にした隣り合うマット同士の直近の小根太間のピッチは１５１.５ｍｍ×２＝３０３ｍｍピッチとなる。
よって、現場で後付け小根太を配置する必要がなくなり、作業性が向上する。
次に、パイプ跨ぎ間隔を使用フローリングの幅より小さく形成したことにより、一ヶ所パイプ跨ぎ間隔を避けると、必然的に他のパイプ跨ぎ間隔を避けることができる。また、２枚のマットを上下に施工する場合も同様に上下両方のマットのパイプ跨ぎ間隔を避けることができる。
【００１２】
次に、釘打ち禁止領域が狭くなり、「釘打ち厳禁」のシールを貼ったり、スタンプを押す手間が省け、マットの製作コストの低減に寄与することができる。
次に、パイプ跨ぎ間隔が小さくなり、釘打ち箇所が従来に比較して多くなるため、床強度が高まる。特に、この効果は、マットを上下方向に並べて使用した場合に顕著である。
【発明を実施するための最良の形態】
【００１３】
温水マットの大きさは、縦横ともに日本の住宅の基準に合わせた３０３ｍｍ×ｎ倍である。そして、このマットには、３０３ｍｍピッチで小根太が配置されており、この小根太の幅は通常４５ｍｍである。温水パイプは通常２本であるが、マットによっては１本又は３本の場合もある。
フローリングは、通常３０３ｍｍ幅であるが、物によっては３０３ｍｍ×ｎ倍又は３０３ｍｍ×１/ｎの寸法のものもある。
【実施例１】
【００１４】
本実施例１は、請求項１に記載した発明に対応するもので、図１に示すように、２本の温水チューブを用いた温水マットであって、図１はマットの平面図、図２はＡ−Ａ´線断面図、図３はＢ−Ｂ´線断面図である。この図１〜３において、マット本体１の大きさは、横が１５１５ｍｍ（３０３ｍｍ×５）、縦が９０９ｍｍ（３０３ｍｍ×３）である。
【００１５】
そして、マット本体１には、３０３ｍｍピッチで４５ｍｍ幅の小根太２が５本配置されていると共に、この小根太２の両先端側であって、マット本体１の上下端１ｂには小々根太３が夫々配置されている。更に、小根太２（小々根太３）において、マット本体１の左右両端１ａに直近の小根太２の中心とマット本体１の左右両端１ａまでの距離は、夫々１５１.５ｍｍに設定されている。また、小根太２と小々根太３間にはパイプ跨ぎ間隔７が形成されていて、このパイプ跨ぎ間隔７の幅は使用フローリングの幅より小さい幅に設定されている。
【００１６】
温水パイプ４、５は温水ヘッダー６の温水往き口に接続されていて、小根太２と小々根太３により形成されたパイプ跨ぎ間隔７のところは２本で跨ぎ、小根太２間は往復で４本となり、左右端の小根太２とマット本体１の端１ａ間には２本の温水パイプ４、５が配管されていて、マット本体１を一巡したあと、温水ヘッダー６の戻り口に戻る。
【００１７】
図４は、上記構成の温水マットを２枚横に並べて使用した状態を示すもので、２枚のマットの境界ａから直近の小根太２の中心間の幅は、１５１．５×２＝３０３ｍｍ、つまり他の小根太２間のピッチ３０３ｍｍと同一となる。
この結果、施工において、従来の後付け小根太を境界ａに配置する必要はなくなる。フローリングは、小根太２に直交するように張られ、小根太２に釘打ちされる。
【実施例２】
【００１８】
本実施例２は、請求項１に記載した発明に対応するもので、本実施例は、１本の温水パイプ４を小根太２間に配管したマットの例である。この場合も、小根太２のピッチは３０３ｍｍで、マット本体１の左右の端１ａとこの端に直近の小根太２の中心までの距離は１５１．５ｍｍに夫々設定されている。
この結果、本実施例２においても、図６に示すように、マットを２枚横に並べて使用したときに、マット本体１の境界ａを中間にした小根太２同士のピッチは３０３ｍｍとなる。
【実施例３】
【００１９】
本実施例３は、請求項２、３、４に記載した発明に対応するもので、マットを上下方向に並べて施工することが可能なマット（請求項２）、上下、左右どのようにでも並べて施工することが可能なマット（請求項３）、折り畳みが可能なマット（請求項４）である。本実施例３において、小根太２の幅は４５ｍｍ、ピッチは３０３ｍｍで、マット本体１の両端１ａと、これに直近の小根太２の中心との距離は１５１．５ｍｍとなっていて、実施例１と同じである。
【００２０】
但し、実施例１との相違点は、小根太２の両先端側において、マット本体１の上下端１ｂには夫々小々根太３が挿入され、パイプ跨ぎ間隔７が形成され、このパイプ跨ぎ間隔７の中心とマット本体１の上下端１ｂまでの距離は１５１．５ｍｍに夫々設定され、更に、小根太３の中間部分には、中間パイプ跨ぎ間隔８が形成されている。そして、この中間パイプ跨ぎ間隔８は、パイプ跨ぎ間隔７の中心と中間パイプ跨ぎ間隔８の中心までの距離が３０３ｍｍ×ｎ倍に夫々設定されていると共に互いの中心間の距離も３０３ｍｍに設定されている。また、中間パイプ跨ぎ間隔８の幅は、使用フローリングの幅よりも小さい幅に設定されている。２本の温水パイプ４、５は、何れのパイプ跨ぎ間隔７及び８においても２本で小根太２を跨ぐ構成となっている。
【００２１】
なお、本実施例の場合、マット本体１の上下端１ｂとパイプ跨ぎ間隔７までの距離を１５１．５ｍｍに設定しているが、この距離は一例であって、１５１．５ｍｍ×ｎ倍としても実用的には問題がなく、本発明の技術範囲内である。
【００２２】
また、本実施例の温水マットは、折り畳みラインｂごとに折り畳んで運搬や格納がしやすい構成となっている。但し、この折り畳み箇所は任意である。
また、本実施例の温水マットにあっては、マットの左右ばかりでなく、上下方向においても、パイプ跨ぎ間隔７の中心からマット本体１の上下端１ｂまでの距離が１５１．５ｍｍ（又は１５１．５ｍｍ×ｎ倍）となっているため、マットを上下方向に並べて使用する場合にも、３０３ｍｍあるいは３０３ｍｍ×１/ｎ幅のフローリングを用いる限り、一つの間隔を避けることにより、すべての間隔を避けてフローリングを張ることができる。なお、図７において、７ａ及び８ａは「釘打ち厳禁」のシールを貼るか、スタンプを押す位置であり、このように、横一直線状に釘打ち禁止領域が決ることにより、シールを貼ったり、スタンプを押すのが簡単になると共に釘打ち箇所を間違える心配もなくなる。
【図面の簡単な説明】
【００２３】
【図１】実施例１に係る温水マットの平面図
【図２】Ａ−Ａ´線断面図
【図３】Ｂ−Ｂ´線断面図
【図４】実施例１のマットを横に２枚並べて用いた場合の説明図。
【図５】実施例２に係る温水マットの平面図。
【図６】実施例２のマットを横に２枚並べて用いた場合の説明図。
【図７】実施例３に係る温水マットの平面図。
【図８】温水パイプを２本用いた従来の温水マットの平面図。
【図９】図８の温水マットを横に２枚並べて後付け小根太を用いる施工例の説明図。
【図１０】温水パイプを１本用いた従来の温水マットの説明図。
【図１１】図１０の温水マットを横に２枚並べて後付け小根太を用いる施工例の説明図。
【符号の説明】
【００２４】
１  マット本体
２  小根太
３  小々根太
４、５  温水パイプ
６  温水ヘッダー
７  パイプ跨ぎ間隔
８  中間パイプ跨ぎ間隔
【図１】
2005114191.tif 000003
【図２】
2005114191.tif 000004
【図３】
2005114191.tif 000005
【図４】
2005114191.tif 000006
【図５】
2005114191.tif 000007
【図６】
2005114191.tif 000008
【図７】
2005114191.tif 000009
【図８】
2005114191.tif 000010
【図９】
2005114191.tif 000011
【図１０】
2005114191.tif 000012
【図１１】
2005114191.tif 000013